(57)【要約】  動的テレビオーディエンス計測システム（ＡＭＳ）および方法が開示される。システムは、中央レベルＡＭＳサブシステム、中央レベルＡＭＳサブシステムと通信状態にあるローカルノードレベルＡＭＳサブシステム、ローカルノードレベルＡＭＳサブシステムと通信状態にある複数のクライアントデバイスレベルＡＭＳサブシステム、および複数の表示デバイスを備え、各表示デバイスは、クライアントレベルＡＭＳサブシステムによりモニタされる。中央レベルＡＭＳサブシステムは、パネル要求元からパネル定義を受信し、パネル定義をローカルノードレベルＡＭＳサブシステムに伝送し、マージされた視聴率レポートをローカルノードレベルＡＭＳサブシステムから受信する。ローカルノードレベルＡＭＳサブシステムは、中央レベルＡＭＳサブシステムからパネル定義を受信し、パネル定義を複数のクライアントレベルＡＭＳサブシステムに伝送し、各クライアントレベルＡＭＳサブシステムから視聴率レポートを受信し、視聴率レポートを、マージされた視聴率レポートにマージし、マージされた視聴率レポートを中央レベルＡＭＳサブシステムに伝送する。
2014517611.tif 000002
【特許請求の範囲】
【請求項１】
動的テレビオーディエンス計測システム（ＡＭＳ）であって、
中央レベルＡＭＳサブシステムと、
中央レベルＡＭＳサブシステムと通信状態にあるローカルノードレベルＡＭＳサブシステムと、
ローカルノードレベルＡＭＳサブシステムと通信状態にある複数のクライアントデバイスレベルＡＭＳサブシステムと、
クライアントレベルＡＭＳサブシステムによりそれぞれモニタされる複数の表示デバイスと
を備え、中央レベルＡＭＳサブシステムは、パネル要求元からパネル定義を受信し、パネル定義をローカルノードレベルＡＭＳサブシステムに送信し、マージされた視聴率レポートをローカルノードレベルＡＭＳサブシステムから受信し、
ローカルノードレベルＡＭＳサブシステムは、中央レベルＡＭＳサブシステムからパネル定義を受信し、パネル定義を複数のクライアントレベルＡＭＳサブシステムに伝送し、各クライアントレベルＡＭＳサブシステムから視聴率レポートを受信し、視聴率レポートを、マージされた視聴率レポートにマージし、マージされた視聴率レポートを中央レベルＡＭＳサブシステムに伝送し、
複数のクライアントレベルＡＭＳサブシステムの各々が、パネル定義をローカルノードレベルＡＭＳサブシステムから受信し、視聴者の行動に基づき視聴率レポートを編集し、視聴率レポートをローカルノードレベルＡＭＳサブシステムに伝送する、動的テレビオーディエンス計測システム。
【請求項２】
中央レベルＡＭＳサブシステムが、放送局、ペイテレビサービス事業者、ブロードバンドテレビサービス事業者、または広告代理店により維持される、請求項１に記載の動的テレビオーディエンス計測システム。
【請求項３】
ローカルノードレベルＡＭＳサブシステムが、ケーブル会社、衛星テレビ会社、ブロードバンドテレビ会社、またはインターネットサービスプロバイダにより維持される、請求項１に記載の動的テレビオーディエンス計測システム。
【請求項４】
各クライアントレベルＡＭＳサブシステムが、セットトップボックス、テレビ、コンピュータ、タブレット、スマートフォン、またはストリーミングメディアデバイス上に格納される、請求項１に記載の動的テレビオーディエンス計測システム。
【請求項５】
パネル定義が、各クライアントレベルＡＭＳサブシステムによりモニタされる基準を備える、請求項１に記載の動的テレビオーディエンス計測システム。
【請求項６】
モニタされる基準が、ターゲットオーディエンス、メディアコンテンツ、収集されるデータ、データ収集のスケジュール、およびデータ収集の割合からなるグループから選択される、請求項５に記載の動的テレビオーディエンス計測システム。
【請求項７】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項６に記載の動的テレビオーディエンス計測システム。
【請求項８】
メディアコンテンツが、コンテンツのソース、表示された広告、表示された番組、チャンネル、および購入されたメディアパッケージのうち少なくとも１つを備える、請求項６に記載の動的テレビオーディエンス計測システム。
【請求項９】
収集されるデータが、リモコン装置ボタン押下、クライアントデバイスから受信されたメッセージおよびイベント、ならびに描画デバイスから受信されたメッセージおよびデバイスのうち少なくとも１つから選択される、請求項６に記載の動的テレビオーディエンス計測システム。
【請求項１０】
データ収集のスケジュールが、開始日および開始時間、終了日および終了時間、ならびにデータ収集の反復のうち少なくとも１つを備える、請求項６に記載の動的テレビオーディエンス計測システム。
【請求項１１】
データ収集の割合が、レポーティング頻度、レポーティング細分性、およびレポーティングデータのフォーマットのうち少なくとも１つを備える、請求項６に記載の動的テレビオーディエンス計測システム。
【請求項１２】
中央レベルＡＭＳサブシステムが、加入者情報、人口統計情報、社会経済データ、全国的番組編成スケジュール、および全国的広告データのうち少なくとも１つを得て、格納する、請求項５に記載の動的テレビオーディエンス計測システム。
【請求項１３】
複数のローカルノードレベルＡＭＳサブシステムをさらに備え、中央レベルＡＭＳサブシステムが、モニタされる基準、および中央レベルＡＭＳサブシステムに格納されたデータに基づき、どのローカルノードレベルＡＭＳサブシステムにパネル定義を伝送すべきかを判定する、請求項１２に記載の動的テレビオーディエンス計測システム。
【請求項１４】
中央レベルＡＭＳサブシステムが、各ローカルノードレベルＡＭＳサブシステムからのマージされた視聴率レポートを編集する、請求項１３に記載の動的テレビオーディエンス計測システム。
【請求項１５】
ローカルノードレベルＡＭＳサブシステムが、モニタされる基準、および中央レベルＡＭＳサブシステムに格納されたデータに基づき、複数のクライアントレベルＡＭＳサブシステムのうちどれにパネル定義を伝送すべきかを判定する、請求項１３に記載の動的テレビオーディエンス計測システム。
【請求項１６】
放送局サブシステムおよびサービスプロバイダサブシステムのうち少なくとも一方が、識別子（ＩＤ）を番組または広告のうち少なくとも一方に結合する、請求項１に記載の動的テレビオーディエンス計測システム。
【請求項１７】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項１６に記載の動的テレビオーディエンス計測システム。
【請求項１８】
放送局サブシステムおよびサービスプロバイダサブシステムのうち少なくとも一方が、メタデータを番組または広告のうち少なくとも一方に結合する、請求項１６に記載の動的テレビオーディエンス計測システム。
【請求項１９】
メタデータが、開始フラグまたは終了フラグのうち少なくとも一方を備える、請求項１８に記載の動的テレビオーディエンス計測システム。
【請求項２０】
各クライアントレベルＡＭＳサブシステムが、パネル定義に基づきイベントをモニタし、記録に残す、請求項１６に記載の動的テレビオーディエンス計測システム。
【請求項２１】
モニタされるイベントが、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである、請求項２０に記載の動的テレビオーディエンス計測システム。
【請求項２２】
イベントが、イベントの時間に見られている番組または広告のＩＤと共に記録に残される、請求項２０に記載の動的テレビオーディエンス計測システム。
【請求項２３】
クライアントレベルＡＭＳサブシステムが、モニタされるイベントに基づきコンテンツの再生を調節する、請求項２０に記載の動的テレビオーディエンス計測システム。
【請求項２４】
コンテンツの再生の調節が、音量の変更、および表示デバイスの電源を切ることから選択される、請求項２３に記載の動的テレビオーディエンス計測システム。
【請求項２５】
オーディエンス計測システム（ＡＭＳ）を使ってテレビオーディエンスを動的に計測する方法であって、
中央レベルＡＭＳサブシステムでパネル要求元からパネル定義を受信するステップと、
パネル定義を中央レベルＡＭＳサブシステムからローカルノードレベルＡＭＳサブシステムに伝送するステップと、
ローカルノードレベルＡＭＳサブシステムでパネル定義を受信するステップと、
パネル定義をローカルノードレベルＡＭＳサブシステムから複数のクライアントレベルＡＭＳサブシステムに伝送するステップと、
クライアントレベルＡＭＳサブシステムの各々でパネル定義を受信するステップと、
クライアントレベルＡＭＳサブシステムの各々で視聴者の行動に基づき視聴率レポートを編集するステップと、
各視聴率レポートをクライアントレベルＡＭＳサブシステムからローカルノードレベルＡＭＳサブシステムに伝送するステップと、
ローカルノードレベルＡＭＳサブシステムで視聴率レポートを受信するステップと、
ローカルノードレベルＡＭＳサブシステムで視聴率レポートを、マージされた視聴率レポートにマージするステップと、
マージされた視聴率レポートをローカルノードレベルＡＭＳサブシステムから中央レベルＡＭＳサブシステムに伝送するステップと、
マージされた視聴率レポートを中央レベルＡＭＳサブシステムで受信するステップと
を備える、方法。
【請求項２６】
中央レベルＡＭＳサブシステムが、放送局、ペイテレビサービス事業者、ブロードバンドテレビサービス事業者、または広告代理店により維持される、請求項２５に記載の方法。
【請求項２７】
ローカルノードレベルＡＭＳサブシステムが、ケーブル会社、衛星テレビ会社、ブロードバンドテレビ会社、またはインターネットサービスプロバイダにより維持される、請求項２５に記載の方法。
【請求項２８】
各クライアントレベルＡＭＳサブシステムが、セットトップボックス、テレビ、コンピュータ、タブレット、スマートフォン、またはストリーミングメディアデバイス上に格納される、請求項２５に記載の方法。
【請求項２９】
パネル定義が、各クライアントレベルＡＭＳサブシステムによりモニタされる基準を備える、請求項２５に記載の方法。
【請求項３０】
モニタされる基準が、ターゲットオーディエンス、メディアコンテンツ、収集されるデータ、データ収集のスケジュール、およびデータ収集の割合からなるグループから選択される、請求項２９に記載の方法。
【請求項３１】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項３０に記載の方法。
【請求項３２】
メディアコンテンツが、コンテンツのソース、表示された広告、表示された番組、チャンネル、および購入されたメディアパッケージのうちの少なくとも１つを備える、請求項３０に記載の方法。
【請求項３３】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項３０に記載の方法。
【請求項３４】
データ収集のスケジュールが、開始日および開始時間、終了日および終了時間、ならびにデータ収集の反復のうち少なくとも１つを備える、請求項３０に記載の方法。
【請求項３５】
データ収集の割合が、レポーティング頻度、レポーティング細分性、およびレポーティングデータのフォーマットのうち少なくとも１つを備える、請求項３０に記載の方法。
【請求項３６】
中央レベルＡＭＳサブシステムが、加入者情報、人口統計情報、社会経済データ、全国的番組編成スケジュール、および全国的広告データのうち少なくとも１つを得て、格納する、請求項２９に記載の方法。
【請求項３７】
複数のローカルノードレベルＡＭＳサブシステムが存在し、方法が、中央レベルＡＭＳサブシステムが、モニタされる基準、および中央レベルＡＭＳサブシステムに格納されたデータに基づき、どのローカルノードレベルＡＭＳサブシステムにパネル定義を伝送すべきかを判定するステップをさらに備える、請求項３６に記載の方法。
【請求項３８】
中央レベルＡＭＳサブシステムが、各ローカルノードレベルＡＭＳサブシステムからのマージされた視聴率レポートを編集するステップをさらに備える、請求項３７に記載の方法。
【請求項３９】
ローカルノードレベルＡＭＳサブシステムが、モニタされる基準、および中央レベルＡＭＳサブシステムに格納されたデータに基づき、複数のクライアントレベルＡＭＳサブシステムのうちどれにパネル定義を伝送すべきかを判定するステップをさらに備える、請求項３７に記載の方法。
【請求項４０】
放送局サブシステムおよびサービスプロバイダサブシステムのうち少なくとも一方が、識別子（ＩＤ）を番組または広告のうち少なくとも一方に結合するステップをさらに備える、請求項２５に記載の方法。
【請求項４１】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項４０に記載の方法。
【請求項４２】
放送局サブシステムおよびサービスプロバイダサブシステムのうち少なくとも一方が、メタデータを番組または広告のうち少なくとも一方に結合するステップをさらに備える、請求項４０に記載の方法。
【請求項４３】
メタデータが、開始フラグまたは終了フラグのうち少なくとも一方を備える、請求項４２に記載の方法。
【請求項４４】
各クライアントレベルＡＭＳサブシステムが、パネル定義に基づきイベントをモニタし、記録に残す、請求項４０に記載の方法。
【請求項４５】
モニタされるイベントが、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである、請求項４４に記載の方法。
【請求項４６】
イベントが、イベントの時間に見られている番組または広告のＩＤと共に記録に残される、請求項４４に記載の方法。
【請求項４７】
クライアントレベルＡＭＳサブシステムが、モニタされるイベントに基づきコンテンツの再生を調節するステップをさらに備える、請求項４４に記載の方法。
【請求項４８】
コンテンツの再生の調節が、音量の変更、および表示デバイスの電源を切ることから選択される、請求項４７に記載の方法。
【請求項４９】
中央レベル動的テレビオーディエンス計測システム（ＡＭＳ）サブシステムであって、
プロセッサと、
プロセッサと通信状態にある少なくとも１つのデータベースと、
プロセッサと通信状態にある入出力デバイスと、
中央レベルＡＭＳサブシステムに、パネル要求元からパネル定義を受信させ、パネル定義をローカルノードレベルＡＭＳサブシステムに伝送させ、視聴率レポートをローカルノードレベルＡＭＳサブシステムから受信させる、プロセッサ上で実行されるソフトウェアと
を備える、中央レベル動的テレビオーディエンス計測システム（ＡＭＳ）サブシステム。
【請求項５０】
中央レベルＡＭＳサブシステムが、放送局、ペイテレビサービス事業者、ブロードバンドテレビサービス事業者、広告代理店により維持される、請求項４９に記載の中央レベル動的テレビオーディエンス計測システム（ＡＭＳ）サブシステム。
【請求項５１】
パネル定義が、クライアントレベルＡＭＳサブシステムによりモニタされる基準を備える、請求項４９に記載の中央レベル動的テレビオーディエンス計測システム（ＡＭＳ）サブシステム。
【請求項５２】
モニタされる基準が、ターゲットオーディエンス、メディアコンテンツ、収集されるデータ、データ収集のスケジュール、およびデータ収集の割合からなるグループから選択される、請求項５１に記載の中央レベル動的テレビオーディエンス計測システム（ＡＭＳ）サブシステム。
【請求項５３】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項５２に記載の中央レベル動的テレビオーディエンス計測システム（ＡＭＳ）サブシステム。
【請求項５４】
メディアコンテンツが、コンテンツのソース、表示された広告、表示された番組、チャンネル、および購入されたメディアパッケージのうち少なくとも１つを備える、請求項５２に記載の中央レベル動的テレビオーディエンス計測システム（ＡＭＳ）サブシステム。
【請求項５５】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項５２に記載の中央レベル動的テレビオーディエンス計測システム（ＡＭＳ）サブシステム。
【請求項５６】
データ収集のスケジュールが、開始日および開始時間、終了日および終了時間、ならびにデータ収集の反復のうち少なくとも１つを備える、請求項５２に記載の中央レベル動的テレビオーディエンス計測システム（ＡＭＳ）サブシステム。
【請求項５７】
データ収集の割合が、レポーティング頻度、レポーティング細分性、およびレポーティングデータのフォーマットのうち少なくとも１つを備える、請求項５２に記載の中央レベル動的テレビオーディエンス計測システム（ＡＭＳ）サブシステム。
【請求項５８】
少なくとも１つのデータベースが、加入者情報、人口統計情報、社会経済データ、全国的番組編成スケジュール、および全国的広告データのうち少なくとも１つを格納する、請求項５１に記載の中央レベル動的テレビオーディエンス計測システム（ＡＭＳ）サブシステム。
【請求項５９】
ソフトウェアが、モニタされる基準、および少なくとも１つのデータベースに格納されたデータに基づき、どのローカルノードレベルＡＭＳサブシステムにパネル定義を伝送すべきかを判定する、請求項５８に記載の中央レベル動的テレビオーディエンス計測システム（ＡＭＳ）サブシステム。
【請求項６０】
ソフトウェアが、各ローカルノードレベルＡＭＳサブシステムからのマージされた視聴率レポートを編集する、請求項５９に記載の中央レベル動的テレビオーディエンス計測システム（ＡＭＳ）サブシステム。
【請求項６１】
放送局サブシステムおよびサービスプロバイダサブシステムのうち少なくとも一方が、識別子（ＩＤ）を番組または広告のうち少なくとも一方に結合する、請求項４９に記載の中央レベル動的テレビオーディエンス計測システム（ＡＭＳ）サブシステム。
【請求項６２】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項６１に記載の中央レベル動的テレビオーディエンス計測システム（ＡＭＳ）サブシステム。
【請求項６３】
放送局サブシステムおよびサービスプロバイダサブシステムのうち少なくとも一方が、メタデータを番組または広告のうち少なくとも一方に結合する、請求項６１に記載の中央レベル動的テレビオーディエンス計測システム（ＡＭＳ）サブシステム。
【請求項６４】
メタデータが、開始フラグまたは終了フラグのうち少なくとも一方を備える、請求項６３に記載の中央レベル動的テレビオーディエンス計測システム（ＡＭＳ）サブシステム。
【請求項６５】
ローカルノードレベル動的テレビオーディエンス計測システム（ＡＭＳ）サブシステムであって、
プロセッサと、
プロセッサと通信状態にある少なくとも１つのデータベースと、
プロセッサと通信状態にある入出力デバイスと、
ローカルノードレベルＡＭＳサブシステムに、中央レベルＡＭＳサブシステムからパネル定義を受信させ、パネル定義を複数のクライアントレベルＡＭＳサブシステムに伝送させ、各クライアントレベルＡＭＳサブシステムから視聴率レポートを受信させ、視聴率レポートを、マージされた視聴率レポートにマージさせ、マージされた視聴率レポートを中央レベルＡＭＳサブシステムに伝送させる、プロセッサ上で実行されるソフトウェアと
を備える、ローカルノードレベル動的テレビオーディエンス計測システム（ＡＭＳ）サブシステム。
【請求項６６】
ローカルノードレベルＡＭＳサブシステムが、ケーブル会社、衛星テレビ会社、ストリーミングメディア会社、またはインターネットサービスプロバイダにより維持される、請求項６５に記載のローカルノードレベル動的テレビオーディエンス計測システム（ＡＭＳ）サブシステム。
【請求項６７】
パネル定義が、各クライアントレベルＡＭＳサブシステムによりモニタされる基準を備える、請求項６５に記載のローカルノードレベル動的テレビオーディエンス計測システム（ＡＭＳ）サブシステム。
【請求項６８】
モニタされる基準が、ターゲットオーディエンス、メディアコンテンツ、収集されるデータ、データ収集のスケジュール、およびデータ収集の割合からなるグループから選択される、請求項６７に記載のローカルノードレベル動的テレビオーディエンス計測システム（ＡＭＳ）サブシステム。
【請求項６９】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項６８に記載のローカルノードレベル動的テレビオーディエンス計測システム（ＡＭＳ）サブシステム。
【請求項７０】
メディアコンテンツが、コンテンツのソース、表示された広告、表示された番組、チャンネル、および購入されたメディアパッケージのうちの少なくとも１つを備える、請求項６８に記載のローカルノードレベル動的テレビオーディエンス計測システム（ＡＭＳ）サブシステム。
【請求項７１】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項６８に記載のローカルノードレベル動的テレビオーディエンス計測システム（ＡＭＳ）サブシステム。
【請求項７２】
データ収集のスケジュールが、開始日および開始時間、終了日および終了時間、ならびにデータ収集の反復のうち少なくとも１つを備える、請求項６８に記載のローカルノードレベル動的テレビオーディエンス計測システム（ＡＭＳ）サブシステム。
【請求項７３】
データ収集の割合が、レポーティング頻度、レポーティング細分性、およびレポーティングデータのフォーマットのうち少なくとも１つを備える、請求項６８に記載のローカルノードレベル動的テレビオーディエンス計測システム（ＡＭＳ）サブシステム。
【請求項７４】
ソフトウェアが、モニタされる基準に少なくとも基づき、複数のクライアントレベルＡＭＳサブシステムのうちどれにパネル定義を伝送すべきかを判定する、請求項６７に記載のローカルノードレベル動的テレビオーディエンス計測システム（ＡＭＳ）サブシステム。
【請求項７５】
放送局サブシステムおよびサービスプロバイダサブシステムのうち少なくとも一方が、識別子（ＩＤ）を番組または広告のうち少なくとも一方に結合する、請求項６５に記載のサービスプロバイダレベル動的テレビオーディエンス計測システム（ＡＭＳ）サブシステム。
【請求項７６】
ＩＤが、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである、請求項７５に記載のローカルノードレベル動的テレビオーディエンス計測システム（ＡＭＳ）サブシステム。
【請求項７７】
放送局サブシステムおよびサービスプロバイダサブシステムのうち少なくとも一方が、メタデータを番組または広告のうち少なくとも一方に結合する、請求項７５に記載のサービスプロバイダレベル動的テレビオーディエンス計測システム（ＡＭＳ）サブシステム。
【請求項７８】
メタデータが、開始フラグまたは終了フラグのうち少なくとも一方を備える、請求項７７に記載のローカルノードレベル動的テレビオーディエンス計測システム（ＡＭＳ）サブシステム。
【請求項７９】
クライアントレベル動的テレビオーディエンス計測システム（ＡＭＳ）サブシステムであって、
プロセッサと、
プロセッサと通信状態にある少なくとも１つのデータベースと、
プロセッサと通信状態にある入出力デバイスと、
クライアントレベルＡＭＳサブシステムに、ローカルノードレベルＡＭＳサブシステムからパネル定義を受信させ、視聴者の行動に基づき視聴率レポートを編集させ、視聴率レポートをローカルノードレベルＡＭＳサブシステムに伝送させる、プロセッサ上で実行されるソフトウェアと
を備える、クライアントレベル動的テレビオーディエンス計測システム（ＡＭＳ）サブシステム。
【請求項８０】
クライアントレベルＡＭＳサブシステムが、セットトップボックス、テレビ、コンピュータ、タブレット、スマートフォン、またはストリーミングメディアデバイス上に格納される、請求項７９に記載のクライアントレベル動的テレビオーディエンス計測システム（ＡＭＳ）サブシステム。
【請求項８１】
パネル定義が、各クライアントレベルＡＭＳサブシステムによりモニタされる基準を備える、請求項７９に記載のクライアントレベル動的テレビオーディエンス計測システム（ＡＭＳ）サブシステム。
【請求項８２】
モニタされる基準が、ターゲットオーディエンス、メディアコンテンツ、収集されるデータ、データ収集のスケジュール、およびデータ収集の割合からなるグループから選択される、請求項８１に記載のクライアントレベル動的テレビオーディエンス計測システム（ＡＭＳ）サブシステム。
【請求項８３】
ターゲットオーディエンスが、視聴者の所在地、視聴者の人口統計特性、視聴者の社会的特性、視聴者の社会経済特性、視聴者の住宅特性、および視聴者の購入プロファイル特性のうち少なくとも１つを備える、請求項８２に記載のクライアントレベル動的テレビオーディエンス計測システム（ＡＭＳ）サブシステム。
【請求項８４】
メディアコンテンツが、コンテンツのソース、表示された広告、表示された番組、チャンネル、および購入されたメディアパッケージのうち少なくとも１つを備える、請求項８２に記載のクライアントレベル動的テレビオーディエンス計測システム（ＡＭＳ）サブシステム。
【請求項８５】
収集されるデータが、データ収集の割合、リモコン装置ボタン押下、クライアントデバイスから受信されたメッセージおよびイベント、ならびに描画デバイスから受信されたメッセージおよびイベントのうち少なくとも１つから選択される、請求項８２に記載のクライアントレベル動的テレビオーディエンス計測システム（ＡＭＳ）サブシステム。
【請求項８６】
データ収集のスケジュールが、開始日および開始時間、終了日および終了時間、ならびにデータ収集の反復のうち少なくとも１つを備える、請求項８２に記載のクライアントレベル動的テレビオーディエンス計測システム（ＡＭＳ）サブシステム。
【請求項８７】
データ収集の割合が、レポーティング頻度、レポーティング細分性、およびレポーティングデータのフォーマットのうち少なくとも１つを備える、請求項８２に記載のクライアントレベル動的テレビオーディエンス計測システム（ＡＭＳ）サブシステム。
【請求項８８】
少なくとも１つのセンサをさらに備える、請求項７９に記載のクライアントレベル動的テレビオーディエンス計測システム（ＡＭＳ）サブシステム。
【請求項８９】
少なくとも１つのセンサが、カメラ、水分センサ、マイクロホン、心拍数モニタ、および脳波モニタからなるグループから選択される、請求項７９に記載のクライアントレベル動的テレビオーディエンス計測システム（ＡＭＳ）サブシステム。
【請求項９０】
ソフトウェアが、パネル定義に基づきイベントをモニタし、記録に残す、請求項８９に記載のクライアントレベル動的テレビオーディエンス計測システム（ＡＭＳ）サブシステム。
【請求項９１】
モニタされるイベントが、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである、請求項９０に記載のクライアントレベル動的テレビオーディエンス計測システム（ＡＭＳ）サブシステム。
【請求項９２】
イベントが、イベントの時間に見られている番組または広告のＩＤと共に記録に残される、請求項９０に記載のクライアントレベル動的テレビオーディエンス計測システム（ＡＭＳ）サブシステム。
【請求項９３】
ソフトウェアが、モニタされたイベントに基づきコンテンツの再生を調節する、請求項９２に記載のクライアントレベル動的テレビオーディエンス計測システム（ＡＭＳ）サブシステム。
【請求項９４】
コンテンツの再生の調節が、音量の変更、および表示デバイスの電源を切ることから選択される、請求項９２に記載のクライアントレベル動的テレビオーディエンス計測システム（ＡＭＳ）サブシステム。
【発明の詳細な説明】
【技術分野】
【０００１】
本出願は、参照により具体的に全体が本明細書に組み入れられる、「Ｓｙｓｔｅｍ  ａｎｄ  Ｍｅｔｈｏｄ  ｆｏｒ  Ｈｉｇｈ  Ａｃｃｕｒａｃｙ  Ｍｅａｓｕｒｅｍｅｎｔ  ｏｆ  Ａｄ  Ｃｏｎｓｕｍｐｔｉｏｎ  ａｎｄ  Ｖｉｅｗｅｒｓ’  Ｅｍｏｔｉｏｎａｌ  ａｎｄ  Ｃｏｇｎｉｔｉｖｅ  Ｒｅｓｐｏｎｓｅ」と題する、２０１１年５月１７日に出願された米国特許仮出願第６１／４８６９７４号明細書、「Ｍｅｔｈｏｄ  ａｎｄ  Ａｐｐａｒａｔｕｓ  ｆｏｒ  Ｍａｐｐｉｎｇ  Ａｖａｉｌａｂｌｅ  Ｄａｔａ  Ｇｅｎｅｒａｔｉｎｇ  Ｒｅｓｏｕｒｃｅｓ  Ａｇａｉｎｓｔ  Ｄａｔａ  Ｃｏｌｌｅｃｔｉｏｎ  Ｒｅｑｕｅｓｔｓ  ｉｎ  ａｎ  Ａｕｄｉｅｎｃｅ  Ｍｅａｓｕｒｅｍｅｎｔ  Ｓｙｓｔｅｍ」と題する、２０１１年５月２７日に出願された米国仮特許出願第６１／４９０２５９号明細書、「Ｄｙｎａｍｉｃ  Ｐａｎｅｌ  Ｃｒｅａｔｉｏｎ  ｆｏｒ  Ｈｉｇｈｌｙ  Ｓｃａｌａｂｌｅ  Ａｕｄｉｅｎｃｅ  Ｍｅａｓｕｒｅｍｅｎｔ  Ｓｙｓｔｅｍｓ」と題する、２０１１年５月３１日に出願された米国特許仮出願第６１／４９１４９４号明細書、および「Ｓｙｓｔｅｍ  ａｎｄ  Ｍｅｔｈｏｄ  ｆｏｒ  Ｉｎｃｒｅａｓｉｎｇ  ｔｈｅ  Ｅｆｆｅｃｔｉｖｅｎｅｓｓ  ｏｆ  ＴＶ／Ｖｉｄｅｏ  Ａｄｓ」と題する、２０１１年６月２日に出願された米国特許仮出願第６１／４９２４２９号明細書の優先権を主張する。
【０００２】
本発明は、テレビ広告を対象とする。具体的には、本発明は、テレビ広告の有効性をモニタすることを対象とする。
【背景技術】
【０００３】
既存のテレビ（ＴＶ）広告（広告またはコマーシャル）導入および配送システム、ならびにオーディエンス計測システム（Ａｕｄｉｅｎｃｅ  Ｍｅａｓｕｒｅｍｅｎｔ  Ｓｙｓｔｅｍ、ＡＭＳ）は、マルチベンダ、マルチプロトコルのハードウェアおよびソフトウェアの構成要素の融合として発展してきた。これらの構成要素は、一緒にうまく動作するように構築されることはなかった。これらの構成要素は、ＡＭＳにより必要とされるすべてのデータを必ずしも中継することなく「統合ポイント」上で互いに通信する。したがって、構成要素は、正確で信頼性のある適時の広告視聴率レポーティングデータを受信する広告主の要求を考慮していない。
【０００４】
既存のＴＶシステムでは、オーディオおよび／またはビデオおよび／または対話型拡張（たとえば、拡張ＴＶバイナリインターチェンジフォーマット（Ｅｎｈａｎｃｅｄ  ＴＶ  Ｂｉｎａｒｙ  Ｉｎｔｅｒｃｈａｎｇｅ  Ｆｏｒｍａｔ、ＥＢＩＦ）アプリケーション）を含む広告が、いくつかのポイントに導入される。広告は、たとえば、全国的放送局（すなわち、ＮＢＣまたはＡＢＣ）、番組編成ネットワーク（たとえばＥＳＰＮ）、ローカル番組編成ネットワーク関連会社、ヘッドエンドで広告を集中的に導入するケーブル事業者（または同等のもの）、交換デジタルビデオインフラストラクチャ上で分散導入されるターゲット広告を備えるケーブル事業者、ターゲット広告がデジタルビデオレコーダ（ＤＶＲ）に格納されライブストリームまたは記録に残されたストリームの中に導入されるケーブル事業者、ビデオオンデマンド（ＶＯＤ）事業者、またはインターネットビデオストリーミング事業者により導入されることができる。
【０００５】
すべての広告タイプに対して正確な広告視聴率情報を生成するためには、クライアントデバイス上でイベントを記録する、クライアントデバイスに基づくＡＭＳシステムは、すべての広告タイプについてすべての広告導入ポイントから受信する情報の精度を信頼しなければならない。既存のＡＭＳシステムは、番組ガイドスケジューリングデータ、放送広告スケジューリングデータ、クライアントデバイスに記録されたイベントデータ、および他の関連する情報が正確であり、かつ完全に同期しているとき（かつこのときだけ）うまく機能する。
【０００６】
しかしながら、現実の世界では、上述のスケジュールの任意の１つに変更を引き起こす多くの例外（たとえば、延長戦を行っているスポーツイベント、またはニュース速報）が存在する。このような変更は、システムを通してリアルタイムに伝えられない。この欠点によりＡＭＳは正確で同期した情報をすべての関連するソースから遅れずに受信することができず、ＡＭＳが正確な広告視聴率レポートを生成できないようになる。さらに、従来のＡＭＳは、どの広告が表示デバイス（たとえばＴＶ）上に実際に表示されたかに関する情報、または視聴者が広告を実際に見たかどうかに関する情報を提供しない。最後に、従来のＡＭＳは、広告が行動のきっかけ（たとえば、クリックして購入する、電話して購入する、クリックしてクーポンを得る、またはクリックしてより多くの情報を得る）がない場合、広告に対する視聴者の実際の反応を計測することができない。
【０００７】
たとえば、Ｇｒａｕｃｈらに発行された米国特許第６，９８３，４７８号明細書は、典型的な既存のＡＭＳを開示している。Ｇｒａｕｃｈは、視聴者のクリックストリーム（すなわち、ユーザのリモコン装置でのボタン押下）データを追跡し、このデータとガイドスケジューリングデータレコードおよび広告スケジューリングデータレコードとを照合しようとする。このようなシステムは、視聴率を判定するために、全体をふるいにかけられなければならない大量のデータを生成する。さらに、データは、レポートされないスケジューリング変更（たとえば、スポーツイベントが予定時間を越える、またはニュース速報のイベントが発生する）、誤って読み取られたまたは読み取られなかったクリック（たとえば、ボタンが押されたが、ＴＶはコマンドを受信しない場合、またはボタンが押されたが、ＡＭＳは押されたボタンを登録しない場合）、または他の予期せぬイベントのためにしばしば不正確である。
【０００８】
Ｇｒａｕｃｈにより開示されたＡＭＳシステムに類似するシステムは、１日あたり何十億ものレコードを生成し、移送し、格納する。レコードは、解析され、レポートに編集されなければならず、これには膨大な量の計算能力を使用する。したがって、既存のシステムは、非常に長い期間（たとえば何カ月もまたは何年も）にわたり設定され、更新される小さなサンプルサイズ（パネル）を中継する。このようなまれな更新および小さなサンプルサイズ（通常、何千人もの視聴者）により、典型的なＡＭＳは、多くのタイプ（映画、番組、広告スポット、インフォマーシャル）およびコンテンツの編成単位（特定のタイトル）の視聴率を正確に計測することができない。さらに、典型的なＡＭＳが実際に計測するコンテンツでは、誤差の許容範囲が高い。
【先行技術文献】
【特許文献】
【０００９】
【特許文献１】米国特許第６９８３４７８号明細書
【発明の概要】
【発明が解決しようとする課題】
【００１０】
本発明は、現在の方式および設計に関連する問題および不利な点を克服し、広告視聴率をモニタし、強化する新しいツールおよび方法を提供する。
【課題を解決するための手段】
【００１１】
本発明の一実施形態が、動的テレビオーディエンス計測システム（ＡＭＳ）を対象とする。システムは、中央レベルＡＭＳサブシステム、中央レベルＡＭＳサブシステムと通信状態にあるローカルノードレベルＡＭＳサブシステム、ローカルノードレベルＡＭＳサブシステムと通信状態にある複数のクライアントデバイスレベルＡＭＳサブシステム、および複数の表示デバイスを備え、各表示デバイスは、クライアントレベルＡＭＳサブシステムによりモニタされる。中央レベルＡＭＳサブシステムは、パネル要求元からパネル定義を受信し、パネル定義をローカルノードレベルＡＭＳサブシステムに伝送し、マージされた視聴率レポートをローカルノードレベルＡＭＳサブシステムから受信する。ローカルノードレベルＡＭＳサブシステムは、中央レベルＡＭＳサブシステムからパネル定義を受信し、パネル定義を複数のクライアントレベルＡＭＳサブシステムに伝送し、各クライアントレベルＡＭＳサブシステムから視聴率レポートを受信し、視聴率レポートを、マージされた視聴率レポートにマージし、マージされた視聴率レポートを中央レベルＡＭＳサブシステムに伝送する。複数のクライアントレベルＡＭＳサブシステムの各々が、パネル定義をローカルノードレベルＡＭＳサブシステムから受信し、視聴者の行動に基づき視聴率レポートを編集し、視聴率レポートをローカルノードレベルＡＭＳサブシステムに伝送する。
【００１２】
好ましい実施形態では、中央レベルＡＭＳサブシステムは、放送局、ペイテレビサービス事業者、ブロードバンドテレビサービス事業者、または広告代理店により維持される。好ましくは、ローカルノードレベルＡＭＳサブシステムは、ケーブル会社、衛星テレビ会社、ブロードバンドテレビ会社、またはインターネットサービスプロバイダにより維持される。各クライアントレベルＡＭＳサブシステムは、好ましくは、セットトップボックス、テレビ、コンピュータ、タブレット、スマートフォン、またはストリーミングメディアデバイス上に格納される。
【００１３】
パネル定義は、好ましくは、各クライアントレベルＡＭＳサブシステムによりモニタされる基準を備える。好ましくは、モニタされる基準は、ターゲットオーディエンス、メディアコンテンツ、収集されるデータ、データ収集のスケジュール、およびデータ収集の割合からなるグループから選択される。好ましい実施形態では、ターゲットオーディエンスは、視聴者の所在地、視聴者の人口統計特性、視聴者の社会的特性、視聴者の社会経済特性、視聴者の住宅特性、および視聴者の購入プロファイル特性のうち少なくとも１つを備える。
【００１４】
好ましくは、メディアコンテンツは、コンテンツのソース、表示された広告、表示された番組、チャンネル、および購入されたメディアパッケージのうち少なくとも１つを備える。好ましくは、収集されるデータは、リモコン装置ボタン押下、クライアントデバイスから受信されたメッセージおよびイベント、ならびに描画デバイスから受信されたメッセージおよびデバイスのうち少なくとも１つから選択される。好ましくは、データ収集のスケジュールは、開始日および開始時間、終了日および終了時間、ならびにデータ収集の反復のうち少なくとも１つを備える。好ましくは、データ収集の割合は、レポーティング頻度、レポーティング細分性、およびレポーティングデータのフォーマットのうち少なくとも１つを備える。好ましい一実施形態では、中央レベルＡＭＳサブシステムは、加入者情報、人口統計情報、社会経済データ、全国的番組編成スケジュール、および全国的広告データのうち少なくとも１つを得て、格納する。
【００１５】
好ましくは、システムは、複数のローカルノードレベルＡＭＳサブシステムをさらに備え、中央レベルＡＭＳサブシステムは、モニタされる基準、および中央レベルＡＭＳサブシステムに格納されたデータに基づき、どのローカルノードレベルＡＭＳサブシステムにパネル定義を伝送すべきかを判定する。好ましくは、中央レベルＡＭＳサブシステムは、各ローカルノードレベルＡＭＳサブシステムからのマージされた視聴率レポートを編集する。ローカルノードレベルＡＭＳサブシステム、好ましくは、モニタされる基準、および中央レベルＡＭＳサブシステムに格納されたデータに基づき、複数のクライアントレベルＡＭＳサブシステムのうちどれにパネル定義を伝送すべきかを判定する。
【００１６】
好ましくは、放送局サブシステムおよびサービスプロバイダサブシステムのうち少なくとも一方が、識別子（ＩＤ）を番組または広告のうち少なくとも一方に結合する。好ましくは、ＩＤは、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである。放送局サブシステムおよびサービスプロバイダサブシステムのうち少なくとも一方が、好ましくは、メタデータを番組または広告のうち少なくとも一方に結合する。好ましい実施形態では、メタデータは、開始フラグまたは終了フラグのうち少なくとも一方を備える。
【００１７】
好ましくは、各クライアントレベルＡＭＳサブシステムは、パネル定義に基づきイベントをモニタし、記録に残す。モニタされるイベントは、好ましくは、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである。好ましくは、イベントは、イベントの時間に見られている番組または広告のＩＤと共に記録に残される。
【００１８】
クライアントレベルＡＭＳサブシステムは、好ましくは、モニタされるイベントに基づきコンテンツの再生を調節する。好ましくは、コンテンツの再生の調節は、音量の変更、および表示デバイスの電源を切ることから選択される。
【００１９】
本発明の他の実施形態が、オーディエンス計測システム（ＡＭＳ）を使ってテレビオーディエンスを動的に計測する方法を対象とする。方法は、中央レベルＡＭＳサブシステムでパネル要求元からパネル定義を受信するステップと、パネル定義を中央レベルＡＭＳサブシステムからローカルノードレベルＡＭＳサブシステムに伝送するステップと、ローカルノードレベルＡＭＳサブシステムでパネル定義を受信するステップと、パネル定義をローカルノードレベルＡＭＳサブシステムから複数のクライアントレベルＡＭＳサブシステムに伝送するステップと、クライアントレベルＡＭＳサブシステムの各々でパネル定義を受信するステップと、クライアントレベルＡＭＳサブシステムの各々で視聴者の行動に基づき視聴率レポートを編集するステップと、各視聴率レポートをクライアントレベルＡＭＳサブシステムからローカルノードレベルＡＭＳサブシステムに伝送するステップと、ローカルノードレベルＡＭＳサブシステムで視聴率レポートを受信するステップと、ローカルノードレベルＡＭＳサブシステムで視聴率レポートを、マージされた視聴率レポートにマージするステップと、マージされた視聴率レポートをローカルノードレベルＡＭＳサブシステムから中央レベルＡＭＳサブシステムに伝送するステップと、マージされた視聴率レポートを中央レベルＡＭＳサブシステムで受信するステップとを備える。
【００２０】
好ましい実施形態では、中央レベルＡＭＳサブシステムは、放送局、ペイテレビサービス事業者、ブロードバンドテレビサービス事業者、または広告代理店により維持される。ローカルノードレベルＡＭＳサブシステムは、好ましくは、ケーブル会社、衛星テレビ会社、ブロードバンドテレビ会社、またはインターネットサービスプロバイダにより維持される。各クライアントレベルＡＭＳサブシステムは、好ましくは、セットトップボックス、テレビ、コンピュータ、タブレット、スマートフォン、またはストリーミングメディアデバイス上に格納される。
【００２１】
パネル定義は、好ましくは、各クライアントレベルＡＭＳサブシステムによりモニタされる基準を備える。好ましい実施形態では、モニタされる基準は、ターゲットオーディエンス、メディアコンテンツ、収集されるデータ、データ収集のスケジュール、およびデータ収集の割合からなるグループから選択される。好ましくは、ターゲットオーディエンスは、視聴者の所在地、視聴者の人口統計特性、視聴者の社会的特性、視聴者の社会経済特性、視聴者の住宅特性、および視聴者の購入プロファイル特性のうち少なくとも１つを備える。
【００２２】
メディアコンテンツは、好ましくは、コンテンツのソース、表示された広告、表示された番組、チャンネル、および購入されたメディアパッケージのうち少なくとも１つを備える。好ましくは、収集されるデータは、データ収集の割合、リモコン装置ボタン押下、クライアントデバイスから受信されたメッセージおよびイベント、ならびに描画デバイスから受信されたメッセージおよびイベントのうち少なくとも１つから選択される。
【００２３】
データ収集のスケジュールは、好ましくは、開始日および開始時間、終了日および終了時間、ならびにデータ収集の反復のうち少なくとも１つを備える。データ収集の割合は、好ましくは、レポーティング頻度、レポーティング細分性、およびレポーティングデータのフォーマットのうち少なくとも１つを備える。中央レベルＡＭＳサブシステムは、好ましくは、加入者情報、人口統計情報、社会経済データ、全国的番組編成スケジュール、および全国的広告データのうち少なくとも１つを得て、格納する。
【００２４】
好ましい実施形態では、モニタされる基準、および中央レベルＡＭＳサブシステムに格納されたデータに基づき、どのローカルノードレベルＡＭＳサブシステムにパネル定義を伝送すべきかを判定する中央レベルＡＭＳサブシステムをさらに備える、複数のローカルノードレベルＡＭＳサブシステムが存在する。方法は、好ましくは、中央レベルＡＭＳサブシステムが、各ローカルノードレベルＡＭＳサブシステムからのマージされた視聴率レポートを編集するステップをさらに備える。方法は、好ましくは、ローカルノードレベルＡＭＳサブシステムが、モニタされる基準、および中央レベルＡＭＳサブシステムに格納されたデータに基づき、複数のクライアントレベルＡＭＳサブシステムのうちどれにパネル定義を伝送すべきかを判定するステップをさらに備える。
【００２５】
方法は、好ましくは、放送局サブシステムおよびサービスプロバイダサブシステムのうち少なくとも一方が、識別子（ＩＤ）を番組または広告のうち少なくとも一方に結合するステップをさらに備える。好ましくは、ＩＤは、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである。方法は、好ましくは、放送局サブシステムおよびサービスプロバイダサブシステムのうち少なくとも一方が、メタデータを番組または広告のうち少なくとも一方に結合するステップをさらに備える。メタデータは、好ましくは、開始フラグまたは終了フラグのうち少なくとも一方を備える。
【００２６】
各クライアントレベルＡＭＳサブシステムは、好ましくは、パネル定義に基づきイベントをモニタし、記録に残す。好ましくは、モニタされるイベントは、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである。
【００２７】
好ましい実施形態では、イベントは、イベントの時間に見られている番組または広告のＩＤと共に記録に残される。方法は、好ましくはクライアントレベルＡＭＳサブシステムが、モニタされるイベントに基づきコンテンツの再生を調節するステップをさらに備える。コンテンツの再生の調節は、好ましくは、音量の変更、および表示デバイスの電源を切ることから選択される。
【００２８】
本発明の他の実施形態が、中央レベル動的テレビオーディエンス計測システム（ＡＭＳ）サブシステムを対象とする。サブシステムは、プロセッサ、プロセッサと通信状態にある少なくとも１つのデータベース、プロセッサと通信状態にある入出力デバイス、およびプロセッサ上で実行されるソフトウェアを備える。ソフトウェアは、中央レベルＡＭＳサブシステムに、パネル要求元からパネル定義を受信させ、パネル定義をローカルノードレベルＡＭＳサブシステムに伝送させ、視聴率レポートをローカルノードレベルＡＭＳサブシステムから受信させる。
【００２９】
好ましい実施形態では、中央レベルＡＭＳサブシステムは、放送局、ペイテレビサービス事業者、ブロードバンドテレビサービス事業者、広告代理店により維持される。好ましくは、パネル定義は、クライアントレベルＡＭＳサブシステムによりモニタされる基準を備える。好ましくは、モニタされる基準は、ターゲットオーディエンス、メディアコンテンツ、収集されるデータ、データ収集のスケジュール、およびデータ収集の割合からなるグループから選択される。
【００３０】
ターゲットオーディエンスは、好ましくは、視聴者の所在地、視聴者の人口統計特性、視聴者の社会的特性、視聴者の社会経済特性、視聴者の住宅特性、および視聴者の購入プロファイル特性のうち少なくとも１つを備える。メディアコンテンツは、好ましくは、コンテンツのソース、表示された広告、表示された番組、チャンネル、および購入されたメディアパッケージのうち少なくとも１つを備える。収集されるデータは、好ましくは、データ収集の割合、リモコン装置ボタン押下、クライアントデバイスから受信されたメッセージおよびイベント、ならびに描画デバイスから受信されたメッセージおよびイベントのうち少なくとも１つから選択される。
【００３１】
好ましくは、データ収集のスケジュールは、開始日および開始時間、終了日および終了時間、ならびにデータ収集の反復のうち少なくとも１つを備える。好ましくは、データ収集の割合は、レポーティング頻度、レポーティング細分性、およびレポーティングデータのフォーマットのうち少なくとも１つを備える。好ましくは、少なくとも１つのデータベースが、加入者情報、人口統計情報、社会経済データ、全国的番組編成スケジュール、および全国的広告データのうち少なくとも１つを格納する。ソフトウェアは、好ましくは、モニタされる基準、および少なくとも１つのデータベースに格納されたデータに基づき、どのローカルノードレベルＡＭＳサブシステムにパネル定義を伝送すべきかを判定する。
【００３２】
ソフトウェアは、好ましくは、各ローカルノードレベルＡＭＳサブシステムからのマージされた視聴率レポートを編集する。好ましくは、放送局サブシステムおよびサービスプロバイダサブシステムのうち少なくとも一方が、識別子（ＩＤ）を番組または広告のうち少なくとも一方に結合する。ＩＤは、好ましくは、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである。好ましくは、放送局サブシステムおよびサービスプロバイダサブシステムのうち少なくとも一方が、メタデータを番組または広告のうち少なくとも一方に結合する。メタデータは、好ましくは、開始フラグまたは終了フラグのうち少なくとも一方を備える。
【００３３】
本発明の他の実施形態が、ローカルノードレベル動的テレビオーディエンス計測システム（ＡＭＳ）サブシステムを対象とする。サブシステムは、プロセッサ、プロセッサと通信状態にある少なくとも１つのデータベース、プロセッサと通信状態にある入出力デバイス、およびプロセッサ上で実行されるソフトウェアを備える。ソフトウェアは、ローカルノードレベルＡＭＳサブシステムに、中央レベルＡＭＳサブシステムからパネル定義を受信させ、パネル定義を複数のクライアントレベルＡＭＳサブシステムに伝送させ、各クライアントレベルＡＭＳサブシステムから視聴率レポートを受信させ、視聴率レポートを、マージされた視聴率レポートにマージさせ、マージされた視聴率レポートを中央レベルＡＭＳサブシステムに伝送させる。
【００３４】
好ましくは、ローカルノードレベルＡＭＳサブシステムは、ケーブル会社、衛星テレビ会社、ストリーミングメディア会社、またはインターネットサービスプロバイダにより維持される。好ましい実施形態では、パネル定義は、各クライアントレベルＡＭＳサブシステムによりモニタされる基準を備える。モニタされる基準は、好ましくは、ターゲットオーディエンス、メディアコンテンツ、収集されるデータ、データ収集のスケジュール、およびデータ収集の割合からなるグループから選択される。
【００３５】
好ましくは、ターゲットオーディエンスは、視聴者の所在地、視聴者の人口統計特性、視聴者の社会的特性、視聴者の社会経済特性、視聴者の住宅特性、および視聴者の購入プロファイル特性のうち少なくとも１つを備える。好ましくは、メディアコンテンツは、コンテンツのソース、表示された広告、表示された番組、チャンネル、および購入されたメディアパッケージのうち少なくとも１つを備える。好ましくは、収集されるデータは、データ収集の割合、リモコン装置ボタン押下、クライアントデバイスから受信されたメッセージおよびイベント、ならびに描画デバイスから受信されたメッセージおよびイベントのうち少なくとも１つから選択される。
【００３６】
好ましい実施形態では、データ収集のスケジュールは、開始日および開始時間、終了日および終了時間、ならびにデータ収集の反復のうち少なくとも１つを備える。データ収集の割合は、好ましくは、レポーティング頻度、レポーティング細分性、およびレポーティングデータのフォーマットのうち少なくとも１つを備える。ソフトウェアは、好ましくは、モニタされる基準に少なくとも基づき、複数のクライアントレベルＡＭＳサブシステムのうちどれにパネル定義を伝送すべきかを判定する。
【００３７】
放送局サブシステムおよびサービスプロバイダサブシステムのうち少なくとも一方が、好ましくは、識別子（ＩＤ）を番組または広告のうち少なくとも一方に結合する。ＩＤは、好ましくは、ＩＳＣＩ、Ａｄ−ＩＤ、ＵＭＩＤ、ＩＳＡＮ、Ｖ−ＩＳＡＮ、ＡＤＩ、またはＴＩＤのうち少なくとも１つである。好ましくは、放送局サブシステムおよびサービスプロバイダサブシステムのうち少なくとも一方が、メタデータを番組または広告のうち少なくとも一方に結合する。メタデータは、好ましくは、開始フラグまたは終了フラグのうち少なくとも一方を備える。
【００３８】
本発明の他の実施形態が、クライアントレベル動的テレビオーディエンス計測システム（ＡＭＳ）サブシステムを対象とする。サブシステムは、プロセッサ、プロセッサと通信状態にある少なくとも１つのデータベース、プロセッサと通信状態にある入出力デバイス、およびプロセッサ上で実行されるソフトウェアを備える。ソフトウェアは、クライアントレベルＡＭＳサブシステムに、ローカルノードレベルＡＭＳサブシステムからパネル定義を受信させ、視聴者の行動に基づき視聴率レポートを編集させ、視聴率レポートをローカルノードレベルＡＭＳサブシステムに伝送させる。
【００３９】
クライアントレベルＡＭＳサブシステムは、好ましくは、セットトップボックス、テレビ、コンピュータ、タブレット、スマートフォン、またはストリーミングメディアデバイス上に格納される。パネル定義は、好ましくは、各クライアントレベルＡＭＳサブシステムによりモニタされる基準を備える。
【００４０】
好ましくは、モニタされる基準は、ターゲットオーディエンス、メディアコンテンツ、収集されるデータ、データ収集のスケジュール、およびデータ収集の割合からなるグループから選択される。好ましくは、ターゲットオーディエンスは、視聴者の所在地、視聴者の人口統計特性、視聴者の社会的特性、視聴者の社会経済特性、視聴者の住宅特性、および視聴者の購入プロファイル特性のうち少なくとも１つを備える。好ましくは、メディアコンテンツは、コンテンツのソース、表示された広告、表示された番組、チャンネル、および購入されたメディアパッケージのうち少なくとも１つを備える。
【００４１】
収集されるデータは、好ましくは、データ収集の割合、リモコン装置ボタン押下、クライアントデバイスから受信されたメッセージおよびイベント、ならびに描画デバイスから受信されたメッセージおよびイベントのうち少なくとも１つから選択される。データ収集のスケジュールは、好ましくは、開始日および開始時間、終了日および終了時間、ならびにデータ収集の反復のうち少なくとも１つを備える。好ましくは、データ収集の割合は、レポーティング頻度、レポーティング細分性、およびレポーティングデータのフォーマットのうち少なくとも１つを備える。
【００４２】
サブシステムは、好ましくは、少なくとも１つのセンサを備える。少なくとも１つのセンサは、カメラ、水分センサ、マイクロホン、心拍数モニタ、および脳波モニタからなるグループから選択される。ソフトウェアは、好ましくは、パネル定義に基づきイベントをモニタし、記録に残す。好ましくは、モニタされるイベントは、視聴されたチャンネル、視聴された番組、視聴された広告、押下されたリモコン装置ボタン、視聴者の脳波、視聴者の体の動き、視聴者の音声、および視聴者の瞳孔サイズ、体温、脈拍数、発汗、呼吸、または血圧の変化のうち少なくとも１つである。好ましい実施形態では、イベントは、イベントの時間に見られている番組または広告に対してＩＤと共に記録に残される。ソフトウェアは、好ましくは、モニタされるイベントに基づきコンテンツの再生を調節する。好ましくは、コンテンツの再生の調節は、音量の変更、および表示デバイスの電源を切ることから選択される。
【００４３】
本発明の他の特徴および有利な点が、以下の説明の中に一部示されており、この説明から一部明らかになってもよく、または本発明を実践することによって学ばれてもよい。
【００４４】
本発明について、例だけによって、および添付図面を参照して、より詳細に説明される。
【図面の簡単な説明】
【００４５】
【図１】本発明のテレビ広告導入アーキテクチャの一実施形態を示す。
【図２】ＡＭＳパネル定義アーキテクチャおよび基準の一実施形態を示す。
【図３】ＡＭＳ−Ｃアーキテクチャ、ならびに通信信号およびデータフローの一実施形態を示す。
【図４】ＡＭＳ−Ｌアーキテクチャ、ならびに通信信号およびデータフローの一実施形態を示す。
【図５】ＡＭＳ−Ａアーキテクチャ、ならびに通信信号およびデータフローの一実施形態を示す。
【図６】ＡＭＳの一実施形態のシステムデータ全体および構成データフローの流れ図を示す。
【図７】複数のビデオサービスプロバイダについて、クライアントデバイス間にパネル割当を動的に分配する一実施形態を示す。
【図８】時間が重複する複数のパネルからデータを収集するＡＭＳの能力の一実施形態を示す。
【発明を実施するための形態】
【００４６】
本明細書で具体化され、おおまかに説明されるように、本明細書の開示は、本発明の詳細な実施形態を提供する。しかしながら、開示される実施形態は、さまざまな形態および代替の形態で具体化されてもよい本発明の例示でしかない。したがって、特定の構造的および機能的詳細が限定的であるべきであるという意図があるのではなく、むしろ、意図することは、特定の構造的および機能的詳細が、特許請求の範囲の基礎を、当業者に本発明のさまざまな利用の仕方を教示する代表的な基礎として提供することである。
【００４７】
本発明の実施形態により解決されることができる当技術分野における問題が、テレビ視聴率の計測である。意外にも、放送システムのテレビ広告導入およびＡＭＳ構成要素を再設計し、広告への視聴者の反応を計測することにより、正確な視聴率レポーティングが達成されることができることが発見された。
【００４８】
ＡＭＳはデータを収集し、コスト効率の高い、国勢調査レベルの精度のレポートを作り出す。好ましい実施形態では、ＡＭＳは、収集された大量のデータを高いコスト効率で処理することが可能になるように、コンテンツ分配システム内部の、異なる類型学的ネットワークポイントに常駐する、いくつかの層の分散コンピューティング構成要素からなる。層１は、ＡＭＳ−Ａから、層２はＡＭＳ−Ｌから、層３はＡＭＳ−Ｃからなる。ＡＭＳ−Ａは、ビデオ再生デバイス、たとえばテレビ受像機、セットトップボックス、ビデオストリーミングアダプタ内に常駐するＡＭＳクライアントアプリケーションである。ＡＭＳ−Ｌは、ＡＭＳ−Ａ構成要素により生成されたデータのための第１の収集および前処理ポイントの役割を果たす、バックエンドサーバに基づくサブシステムである。データの前処理が完了した後、ＡＭＳ−ＬはデータをＡＭＳ−Ｃに送信する。ＡＭＳ−Ｃは、データがアーカイブされ、広告代理店にエクスポートされる前の最終データ処理の役割を果たす、バックエンドサーバに基づくサブシステムである。コンテンツ分配ネットワークのトポロジおよび規模に応じて、ＡＭＳ−Ｌ構成要素のロケーションおよび総数が変わる。たとえば、小規模コンテンツ分配システムは、ＡＭＳ−ＡおよびＡＭＳ−Ｌ構成要素だけを有し、この特定のコンテンツ分配ネットワークの外部に配置されたＡＭＳ−Ｃ構成要素を利用する。
【００４９】
各ＡＭＳ−Ａ（クライアントデバイスレベル）は、好ましくは、ＡＭＳ−Ｌから構成メッセージを受信し、かつ受信された構成メッセージに従ってイベントの記録、処理およびレポートを実行する役割を果たす。各ＡＭＳ−Ａは、好ましくは、クライアントのセットトップボックス、テレビ、コンピュータ、タブレット、スマートフォン、ストリーミングメディアデバイス、または他のメディア再生デバイスである。
【００５０】
各ＡＭＳ−Ｌ（ローカルノードレベル）は、好ましくは、ＡＭＳ−Ｃ、テレビトラフィックシステム、電子プログラムガイドサーバ、および／またはビデオオンデマンドサーバからパネル定義、加入者プロファイル情報、ならびに番組および広告のスケジュールを受信する役割を果たす。ＡＭＳ−Ｌはまた、好ましくは、構成メッセージを各ＡＭＳ−Ａに送信し、かつアップストリーム帯域幅最適化を行う役割を果たす。ＡＭＳ−Ｌはまた、好ましくは、レポートを各ＡＭＳ−Ａから受信し、パネルレポートをマージし、さらにマージするために、要求されたレポートをＡＭＳ−Ｃに送信する役割を果たす。各ＡＭＳ−Ｌは、好ましくは、ケーブル会社、衛星テレビ会社、ストリーミングメディア会社、またはインターネットサービスプロバイダなどのメディアサービスプロバイダにより維持される。
【００５１】
ＡＭＳ−Ｃ（中央レベル）は、好ましくは、パネル定義を広告代理店から、加入者の人口統計および社会経済メタデータを供給元代理店から、番組編成メタデータを全国的放送局から、ならびに広告スケジュールを広告代理店または放送局から受信する役割を果たす。ＡＭＳ−Ｃは、好ましくは、要求された情報をマージし、利用可能なＡＭＳ−Ｌ加入者ベースの中に情報をマッピングする役割を果たす。ＡＭＳ−Ｃは、複数のＡＭＳ−Ｌからレポートを受信し、マージすることができる。ＡＭＳ−Ｃは、好ましくは、メディア会社、たとえば、放送局、ケーブルテレビチャンネル、またはインターネットウェブページにより維持される。
【００５２】
好ましい実施形態では、本発明のシステムは、広告識別子をオーディオ／ビデオトランスポートストリームの中に導入する。広告識別子は、独自のまたは標準化されたコンテンツ識別子、たとえば、ＩＳＣＩ、Ａｄ−ＩＤ、ＵＭＩＤ、ＩＳＡＮ、Ｖ−ＩＳＡＮ、ＡＤＩ、またはＴＩＤとすることができる。さらに、システムは、広告メタデータ情報を広告の中に導入することができる。このような情報は、広告開始フラグおよび広告終了フラグを含んでもよい。好ましくは、識別子およびメタデータは、統合ポイントが識別子およびメタデータを取り除くことができないようにして、識別子およびメタデータがコマーシャルと共にクライアントデバイスに伝わることを保証するような方法で広告に結合される。
【００５３】
好ましくは、システムは、クライアントデバイス上で識別子およびメタデータに対するトランスポートストリームをモニタすることができる。クライアントデバイスは、好ましくは、広告識別子、開始時間、および終了時間を含むがこれらに限定されない広告イベントを、これらが検出されたときに生成し格納する。さらに、システムは、視聴者の１つまたは複数の物理的特性を計測することにより、広告再生中および広告再生後に視聴者の反応を記録に残すことができる。たとえば、システムは、脳波、瞳孔のサイズおよび変化、体温、脈拍数およびその変化、発汗、呼吸、血圧、身体の動き、および音声の特性（たとえば、音質および音量）を計測することができる。さらに、システムは、格納された広告イベントを含むＡＭＳ−Ａレポートを生成し、伝送する。
【００５４】
好ましくは、ＡＭＳ−Ａアーキテクチャは、従来のＡＭＳより少ないバックエンド構成要素を可能にし、実質的にエラーなしのレポーティング能力を提供する。システムは、クライアントデバイス（たとえば、セットトップボックス、ストリーミングメディアプレーヤ、ゲームデバイス、またはスマートテレビ）によりどの広告が実際に復号されたかをレポートし、表示デバイス（たとえば、テレビ）に送る。
【００５５】
図１は、本発明のテレビ広告導入アーキテクチャの一実施形態を示す。一般に、いくつかのコマーシャルを含むテレビコンテンツが番組編成ネットワーク１２０９により生成される。コンテンツは、たとえば、テレビ番組、映画、ニュース放送、およびスポーツイベントを含むことができる。コンテンツは、複数のマルチシステムオペレータ（ＭＳＯ）１２１４に、たとえば、ケーブル、衛星、または放送のビデオサービス会社に配送される。ＭＳＯは、次に、コンテンツを加入者のクライアントデバイス１２１８に伝送する。クライアントデバイスは、たとえば、セットトップボックス、テレビ、またはインターネット対応デバイスとすることができる。各クライアントデバイスは、中央処理装置、メモリ、ならびにオペレーティングシステム１２２３、ファームウェア１２２２、ミドルウェア１２２１、およびアプリケーション１２２０からなるソフトウェアスタックを含む。ソフトウェアスタックの構成要素は、ＡＭＳ−Ａモジュール１２００により収集され、処理されたメッセージ１２１９を生成する。コンテンツは、テレビ１２１５上に、または視聴者１２１６により見るための他の表示デバイス上に表示するために、クライアントデバイスにより描画される。
【００５６】
番組編成ネットワーク１２０９は、好ましくは、放送するためのコンテンツ資産１２０１の選択、および該当するロケーション（すなわち、コンテンツ内のコマーシャルのための中断中）でコンテンツの中に挿入するためのコマーシャル１２０８の選択を有する。番組編成ネットワークは、好ましくは、どの広告資産１２０８をどのコンテンツ資産１２０１と組み合わせるかを判断することを含む、コンテンツ１２０５をスケジュールする自動化システム１２０２を有する。番組編成ネットワークシステム１２０２は、リニアな全国的広告キャンペーン管理システム１２０７に基づき、どの広告資産を表示すべきかを選択してもよい。選択されたコンテンツおよび関連する広告は、デジタル圧縮システム１２００内のＭＳＯに伝送するために準備される。番組編成ネットワーク１２０９は、アップリンクモジュール１２０６を介してＭＳＯ１２１４に配送するために、広告ＩＤ情報１２０３付き全国的ビデオ広告を、符号化されたビデオストリームの中に導入する。
【００５７】
ＭＳＯ１２１４のダウンリンクモジュール１２２８は、符号化されたビデオストリームを受信機１２２９で受信する。ＭＳＯ１２１４は、ローカル広告挿入のための利用可能な広告スポットを識別するリニアな広告挿入システム１２３３を有する。リニアなローカル広告キャンペーン管理システム１２３５、および利用可能なローカル広告資産１２３２の選択に基づき、ＭＳＯ１２１４は、該当するタイムスロットでローカル広告１２３０をビデオストリームの中に接合し、ローカル広告１２３１に対して広告ＩＤを結びつける。両方とも広告ＩＤを有する全国的広告とローカル広告の両方の広告を伴うビデオストリームが、クライアントデバイス１２１８に放送するために、トランスポートデバイス／ハイブリッドファイバ同軸（ＨＦＣ）モジュール１２３４に送信される。
【００５８】
クライアントデバイス１２１８は、広告ＩＤ、およびビデオストリーム内に埋め込まれた任意の追加のメタデータを含む全国的広告およびローカル広告を伴う、符号化されたビデオストリーム１２３９を受信する。好ましくは、クライアントデバイス１２１８は、ＡＭＳアプリケーション（ＡＭＳ−Ａ）１２００を有する。ＡＭＳ−Ａ１２００は、広告識別子および他の制御情報（たとえば、広告開始フラグおよび広告終了フラグ）を含むことができる広告イベント情報を受信し、復号する。クライアントデバイス１２１８は、コンテンツをディスプレイ１２１５上に描画し、ＡＭＳ−Ａ１２００は、何が視聴されたか、およびそれがいつ視聴されたかを含むイベント情報を記録に残す。
【００５９】
図１に戻ると、好ましい実施形態では、ＡＭＳ−Ａ１２００は、クライアントデバイスにより復号されたコンテンツに関するイベントおよびメッセージを収集する。さらに、ＡＭＳ−Ａは、描画デバイス１２１５からビデオ描画確認イベントおよび視聴者存在確認イベントを受信する。収集された情報は、だれが番組を視聴したか、ならびに番組およびコマーシャルに対して、視聴した人の反応はどうであったかを含む。好ましくは、表示デバイスおよび／またはクライアントデバイスは、視聴者の生体測定情報を収集するためのセンサのアレイ１２１２を有する。たとえば、センサは、部屋の中の人々の数、部屋の中の人々の年齢、部屋の中の人々の性別、部屋の中の人々の動きを判定するため、または瞳孔サイズの変化をモニタするためのカメラと、部屋の中の人々の体温をモニタするための赤外線カメラと、部屋の中の人々の発汗の変化をモニタするための水分センサと、音声または呼吸の速度をモニタするためのマイクロホンと、脳波、脈拍数の変化、および血圧の変化をモニタするための他のセンサとを含んでもよいが、これらに限定されない。さらに、システムは、リモコン装置のボタン押下（たとえば、視聴者が、チャンネルを変更した、音量を変更した、またはコンテンツの一部を早送りした場合）を記録に残してもよい。
【００６０】
表示ディスプレイ１２１５が単方向リンクを介してクライアントデバイス１２１８と接続されているので、ＡＭＳ−Ａ１２００は、広告イベント情報を収集し、アップストリーム通信セッションの間に戻してレポートすることができる。表示ディスプレイ１２１５が双方向リンクを介してクライアントデバイス１２１８と接続されているので、ＡＭＳ−Ａ１２００は、クライアントデバイス１２１８と表示デバイス１２１５の両方から広告イベント情報を収集することができる。クライアントデバイス１２１８と表示デバイス１２１５の両方からの情報を使用して、ＡＭＳ−Ａ１２００は、後でアップストリーム通信セッションの間にＡＭＳ−Ｌ１２１３に渡されることができる広告視聴率統計データに関する、エラーなしの情報を記録してもよい。
【００６１】
ＡＭＳ−Ｌ１２１３は、クライアントデバイス１２１８から受信されたレコードをクライアントデバイス１２１８のユーザに関する人口統計情報と対にすることができてもよい。各クライアントデバイス１２１８は固有識別子を有するので、ＡＭＳ−Ｌ１２１３は、たとえばユーザの請求明細書から情報を得て、ユーザに関する人口統計情報のデータベースを編集することができる。このような情報は、年齢、所在地、所得、民族、宗教、性別、家族構成、購入されたケーブルパッケージ、およびＶＯＤ使用量を含んでもよいが、これらに限定されない。好ましくは、人口統計情報だけでなく、ＡＭＳにより記録に残されるどんな情報も、匿名で保持され、ユーザの名前または住所に連結されない。人口統計情報に基づき、システムは、視聴者１２１１のパネルを定義し、これらのパネル内部の特定のユーザからの情報だけを記録に残すことができる。クライアントデバイス１２１８は、レポートをアップストリーム復調器１２２４に送信し、アップストリーム復調器１２２４は、次に、ネットワーク管理コントローラ１２２７を介してデータをＡＭＳ−Ｌ１２１３に送信する。データは、セットトップボックスＩＤおよび広告ＩＤ１２２６により識別されることができるレコードを含む。ＡＭＳ−Ｌ１２１３は、ＡＭＳパネルレポート内部に広告ＩＤを含むレポートデータをＡＭＳ−Ｃ１２１０に送信する。各クライアントデバイスからのデータが受信されると、ＡＭＳ−Ｃ１２１０は、結果に解析基準を適用して、広告主にエクスポートするための視聴率レポートを生成することができる。さらに、システムは、パネルを使用して、クライアントデバイスにどの情報を収集すべきかを告げることができる。
【００６２】
図２は、ＡＭＳパネル定義アーキテクチャおよび基準の一実施形態を示す。ＡＭＳパネル定義３０１は、ＡＭＳからレポートを要求する当事者により判定される。ＡＭＳは、部分が、要求されたレポートに対していくつかの基準を指定することができるようにする。たとえば、要求元は、ターゲットオーディエンス３０２を定義することを望んでもよい。モニタされるターゲットオーディエンスは、オーディエンスの所在地３０７（たとえば、郵便番号、都市、行政区、州、またはＤＭＡ）、オーディエンスの人口統計特性３０８（たとえば、性別、年齢、または民族）、オーディエンスの社会的特性３０９（たとえば、教育状態または配偶者の有無）、オーディエンスの経済的特性３１０（たとえば、雇用状態、職業、または所得）、オーディエンスの住宅特性３１１（たとえば、部屋の数、価値、または抵当状態）、オーディエンスの購入特製３１２（たとえば、購入量、購入頻度、または取引サイズ）、オーディエンス固有の特性３１３（すなわち、上記に列挙されたカテゴリに含まれないパラメータ）に基づいてもよい。
【００６３】
要求元はまた、ＡＭＳによりどのタイプのコンテンツがモニタされるかを指定するパネルコンテンツターゲティング３０３を定義することを望んでもよい。たとえば、要求元は、すべてのソースからのすべての非広告コンテンツ３１４（たとえば、放送されたすべてのリニアなチャンネル、すべてのビデオオンデマンド、すべてのデジタルビデオレコーダコンテンツ、すべてのネットワークデジタルビデオレコーダコンテンツ、および／またはすべてのナローキャストストリーミング（すなわち、インターネットビデオ））、特定のコンテンツソースもしくはコンテンツソースの組合せ３１５、すべての広告３１６、特定の広告キャンペーン３１７、および／または特定の番組、チャンネル、もしくはパッケージ３１８を含むパネルを定義してもよい。
【００６４】
要求元はまた、収集されるべきデータ３０４（たとえば、どのメッセージおよび詳細のレベルがＡＭＳによりモニタされ、記録されるか）を規定することを望んでもよい。たとえば、要求元は、イベントをどの頻度で記録すべきか３１９（たとえば、毎秒、Ｎ秒ごと、またはヒットごと）、どのメッセージを記録すべきか３２０（たとえば、高度な広告アプリケーションメッセージ）、どのリモコン装置キー押下を記録に残すべきか３２１、および／または特定のリモコン装置キーが押されたかどうか３２２を定義することができる。要求元は、開始時間および終了時間３２３を、ならびに／または時間スケジュール３２４に基づき、および／もしくはコンテンツターゲット定義に基づき、どの頻度でパネルを繰り返すべきかを含むがこれらに限定されない、パネルのスケジュール３０５を定義してもよい。さらに、要求元は、レポーティング頻度３２６、レポーティング細分性３２７、およびレポーティングデータフォーマット３２８を含むがこれらに限定されないレポーティング特性３０６を定義してもよい。
【００６５】
図３は、ＡＭＳ−Ｃアーキテクチャ、ならびに通信信号およびデータフローの一実施形態を示す。ＡＭＳ−Ｃパネル定義モジュール４２１は、好ましくは、クライアント（たとえば、広告代理店４０４〜４０６）からパネル定義属性を受信する。モジュール４２１は、情報を中央パネル構成データベース４２７に格納する。パネルマージャ（ｍｅｒｇｅｒ）およびエクスポータ（ｅｘｐｏｒｔｅｒ）モジュール４３３は、中央加入者情報データベース４２８（加入者情報４２２を、たとえばＡＭＳ−Ｌ４４０〜４４２からインポートする）、中央人口統計および社会経済データベース４２９（人口統計および社会経済情報データ４２３を、たとえば、広告代理店４１２、信用調査機関４１１、および他の人口統計プロバイダ４１０からインポートする）、全国的番組編成データベース４３０（番組編成データ４２４を、たとえばＡＭＳ−Ｌ４４０〜４４２および放送局４１５〜４１６からインポートする）、および／または全国的広告データベース４３１（全国的広告データ４２５を、たとえば広告代理店４６０および４１７、ならびに放送局４１８〜４１９からインポートする）からの情報に基づき、広告代理店要求を少なくとも１つのＡＭＳ−Ｌ４４０〜４４２にマッピングする。モジュール４４３は、ローカルパネル定義を生成し、適用可能なＡＭＳ−Ｌ４４０〜４４２に送信する。
【００６６】
ＡＭＳレポートキャッチャ（ｃａｔｃｈｅｒ）およびマージャサービス４２０は、好ましくは、オーディエンス計測レポートをＡＭＳ−Ｌ４４０〜４４２から受信し、最初のパネル定義パラメータに従ってレポートをマージし、マージされたレポートを中央パネルレポートデータベース４２６に格納する。ＡＭＳ−Ｃは、統合されたレポート４３２を広告代理店４０４〜４０６にエクスポートする、または広告代理店４０４〜４０６が要求に応じてレポートにアクセス可能にすることができる。
【００６７】
ＡＭＳ−Ｃ２Ｌ（ＡＭＳ−ＣからＡＭＳ−Ｌへ）パネルマージャおよびエクスポータ４３３は、パネル定義パラメータをＡＭＳ−Ｌサブシステムに送信する。ＡＭＳ−Ｃ２Ｌ番組データベースエクスポータ４３５は、フィルタ番組メタデータをＡＭＳ−Ｌサブシステムに送信する。ＡＭＳ−Ｃ２Ｌ広告データベースエクスポータ４３６は、フィルタされ、処理された広告主メタデータをＡＭＳ−Ｌに送信する。ＡＭＳ−Ｃサブシステムソフトウェアモジュールインベントリ４４６は、パネルレポートデータを収集し、処理し、アーカイブし、広告代理店に送信する。
【００６８】
図４は、ＡＭＳ−Ｌアーキテクチャ、ならびに通信信号およびデータフローの一実施形態を示す。好ましくは、パネル定義インポータモジュール５１２は、ＡＭＳ−Ｃモジュール１０６からパネル定義属性を受信し、定義属性をローカルパネル構成データベースモジュール５２３に格納する。クライアントレポートコンフィギュレータ、スケジューラ、および帯域幅オプティマイザモジュール５１６は、パネル構成パラメータをモジュール５２３から取り出し、該当するクライアントデバイスモジュール５０１〜５０４に構成メッセージを送信することができる。
【００６９】
モジュール５１６はまた、ネットワークのアップストリームおよびダウンストリームの負荷をモニタすることができ、レポートするクライアントデバイス５０１〜５０４からのアップストリームトラフィックを負荷分散することができる。クライアントレポートキャッチャおよびデータベースインポータモジュール５１５は、好ましくは、クライアントデバイス５０１〜５０４からレポートを受信し、レポートをレポートデータベース５２１に格納する役割を果たす。レポートジェネレータモジュール５２８は、パネルごとに各クライアントデバイスからセットトップボックス（ＳＴＢ）レポートレコードを受信し、たとえば、ローカル人口統計情報５２４（ＡＭＳ−Ｃ１０６からインポートされることができる５１３）、広告情報５２５（ＡＭＳ−Ｃ１０６またはＣＡＴＶトラフィックシステム５０５からインポートされることができる５１８）、および／または番組編成情報５２６（ＡＭＳ−Ｃ１０６、ＣＡＴＶ  ＥＰＧサーバ５０６、またはＣＡＴＶ  ＶＯＤ５０７からインポートされることができる５１９）を使用して、解析基準を適用することができる。モジュール５２８は、新しく生成された結果をパネルレポートデータベース５３１に格納する。パネルレポートエクスポータモジュール５３０は、データベース５３１からレポートを得て、レポートをＡＭＳ−Ｃ１０６にエクスポートする、または必要に応じてレポートにアクセス可能にすることができる。
【００７０】
ＡＭＳ−Ｌサブシステムソフトウェアモジュールインベントリ５４６は、パネルレポートデータを収集し、処理し、アーカイブし、ＡＭＳ−Ｃサブシステムに送信する。加入者情報インポータ５１４は、ＣＡＴＶ  ＯＳＳ／ＢＳＳ５０８から加入者情報をインポートし、この情報をローカル加入者情報データベース５２０に格納する。ＡＭＳ−Ｌ２Ｃ加入者情報エクスポータ５２９は、加入者情報データをＡＭＳ−Ｃ１０６にエクスポートする。
【００７１】
図５は、ＡＭＳ−Ａアーキテクチャ、ならびに通信信号およびデータフローの一実施形態を示す。セットトップボックス（ＳＴＢ）８０３は、好ましくは、ＡＭＳ−Ａ構成要素モジュール１２００を含む。ＡＭＳ−Ａクライアント１２００は、ＡＭＳ−Ｌメッセージ受信機モジュール８０９、ＡＭＳレポートアップロードモジュール８１０、ＡＭＳ記録レベル構成モジュール８１２、ＡＭＳレポーティングスケジュール構成モジュール８１３、ＡＭＳイベントエンコーダ８１４、ＡＭＳデータ圧縮器８１５、ＡＭＳデータキャッシングモジュール８１６およびＡＭＳクライアントカーネル８１７という構成要素から構成されてもよい。ＡＭＳ−Ｌ受信モジュールは、ＡＭＳ−Ｌサブシステムからのダウンストリーム８０１からパネル構成メッセージを得る。クライアントデバイスは、好ましくは、中央処理装置、メモリ、ならびにオペレーティングシステム８２８、ファームウェア８２７、ミドルウェア８２６、サードパーティのアプリケーション８２３、ＶＯＤアプリケーション８２４、およびＥＰＧアプリケーション８２５からなるソフトウェアスタックを含む。これらのソフトウェアモジュールはすべて、デジタル／アナログ同調イベント、ビデオストリーミングイベント８１８、リモコン装置キー押下イベント８１９、アプリケーションイベント／メッセージ８２０、または他のイベント／メッセージ８２１というカテゴリから構成されてもよいイベントおよびメッセージ８２２を生成する。カテゴリ８１８のイベントは、好ましくは、復号された最初のＩフレームイベント８０５、アナログ同調完了イベント８０６、ＲＴＳＰストリーミング障害イベント８０７、および他の同調関連イベント８０８というサブカテゴリイベントから構成される。
【００７２】
モジュール８１１は、組込アルゴリズムに従って、受信されたメッセージのシーケンスおよびタイミングを解析して、テレビ画面上での視聴者体験に対応する、正確な実際のイベントを生成する。モジュール８１１は、生成されたイベントを、ＡＭＳクライアントカーネル８１７およびＡＭＳレポートアップロードモジュール８１０を通してＡＭＳ−Ｌモジュール１０６に移送するために、ＡＭＳデータキャッシングモジュール８１６に格納する。モジュール８１１は、好ましくは、ＳＴＢ８０３内部から情報を収集して、無視できる誤差許容範囲で、ＳＴＰに接続されたテレビ受像機上で発生した実際のイベントを推定する。このようなイベントは、本明細書で説明されるように、何が見られたか、および見られたものに対して視聴者がとのように反応したかを含むが、これらに限定されない。
【００７３】
図６は、ＡＭＳの一実施形態のシステムデータ全体および構成データフローの流れ図を示す。ステップ６０１で、広告代理店、マーケティング代理店、または他のエンティティが、ＡＭＳ定義パラメータを使用してオーディエンス計測パネルを定義する。ステップ６０２で、ＡＭＳ−Ｃパネル定義モジュールは、すべてのクライアントのパネル構成パラメータを処理し、データベースに格納する。ステップ６０３で、すべてのクライアントに対するパネルが、中央加入者データベース、中央人口統計および社会経済データベース、全国的番組編成データベース、および／または全国的広告データベースを使用してマージされる。
【００７４】
ステップ６０４で、マージされたパネルに対する構成パラメータが、ローカルＡＭＳ−Ｌシステムに送信される。ステップ６０５で、各ＡＭＳ−Ｌのローカルパネル定義インポータが、パネルの構成パラメータをローカルパネル構成データベースに格納する。ステップ６０６で、各ＡＭＳ−Ｌのクライアントレポートコンフィギュレータ、スケジューラ、および帯域幅オプティマイザが、ＡＭＳ−Ｃから受信された、マージされた構成パラメータに従って、該当するＳＴＢに構成メッセージを送信する。ステップ６０７で、各ＡＭＳ−Ｌのクライアントレポートコンフィギュレータ、スケジューラ、および帯域幅オプティマイザが、アップストリームおよびダウンストリームの帯域幅制約条件を考慮して、レポートプリング（ｐｕｌｌｉｎｇ）メッセージまたはレポーティングスケジュールをＳＴＢに送信する。
【００７５】
ステップ６０８で、各ＡＭＳ−Ｌのクライアントレポートキャッチャおよびデータベースインポータが、ＳＴＢレポートをＳＴＢレポートデータベースに格納する。ステップ６０９で、各ＡＭＳ−Ｌのパネルレポートジェネレータが、データベースから取り出されたパネル構成パラメータに従ってローカルレポートを生成し、編集されたローカルレポートをパネルレポートデータベースに格納する。ステップ６１０で、各ＡＭＳ−Ｌのパネルレポートエクスポータが、ローカルレポートをＡＭＳ−Ｃに送信する。ステップ６１１で、ＡＭＳ−Ｌの各々からのローカルレポートがすべてマージされ、中央パネルレポートデータベースに格納される。ステップ６１２で、ＡＭＳ−Ｃのパネルレポートエクスポータが、マージされたレポートを該当するフォーマットに変換し、レポートをパネル要求元に配送する。
【００７６】
ＡＭＳは、１回に１つのパネルを、または一度に複数のパネルをモニタするように構成されることができる。図７は、複数のビデオサービスプロバイダ１０７、１０９、および１１４について、クライアントデバイス間にパネル割当を動的に分配する一実施形態を示す。たとえば、ＡＭＳ−Ｃ１０６のＡＭＳパネル定義モジュール１０５は、複数のパネル要求１０２〜１０４に対して複数の広告代理店１００および１０１から要求を受信することができる。ＡＭＳ−Ｃ１０６は、それぞれＡＭＳ−Ｌ１０８、１１０、および１１５を介して複数のビデオサービスプロバイダ１０７、１０９、および１１４にパネル要求をマッピングすることができる。ＡＭＳ−Ｌ１０８、１１０、および１１５は、ＡＭＳ−Ｃ１０６から受信された入力に基づき、該当する構成メッセージを生成し、各ＳＴＢ１２０〜１３７に送信する。構成メッセージは、要求定義に応じて、未処理のパネル要求の組合せを含んでもよい。たとえば、ＳＴＢ１２０は、データを収集して、パネル１の必要を満たすように構成されることができ、一方では、ＳＴＢ１２２は、データを収集して、パネル１およびパネル２の必要を満たすように構成されることができ、一方では、ＳＴＢ１３０は、データを収集して、パネル１およびパネル３の必要を満たすように構成されることができる。
【００７７】
図８は、時間が重複する複数のパネルからデータを収集するＡＭＳの能力の一実施形態を示す。図８に示される例では、時間Ｔ１で、システムは、広告代理店２からパネル４で指定されたデータを収集してもよく、一方では、時間Ｔ２で、システムは、広告代理店１からパネル１で、広告代理店２からパネル５で、および広告代理店１からパネル２で指定されたデータを収集してもよく、時間Ｔ３で、システムは、広告代理店３からパネル６で、および広告代理店１からパネル３で指定されたデータを収集してもよい。
【００７８】
図１に戻ると、特定の実施形態では、表示デバイス１２１５は、センサ１２１２により検知された視聴者の状況に基づきコンテンツの再生を変更することができる。たとえば、動き検出器が、広告を視聴する人が存在しないと判定した場合、表示デバイス１２１５は、広告の音量を増大させる、または依然として聞こえる範囲内に視聴者がいる場合、視聴者とは対照的な聴取者にとってより効果的な広告（たとえば、ラジオコマーシャル）に切り替えることができる。他の例では、視聴者が眠ったことをおそらくは示す、視聴者の呼吸または脈拍が遅くなったとセンサが判断した場合、表示デバイス１２１５はスイッチをオフしてもよく、ＡＭＳ−Ａ１２００は記録に残すことを停止してもよい。
【００７９】
本明細書で提供された例は、テレビ視聴システムのためのものであるが、本発明はまた、ＰＣ、タブレット、スマートフォン、ゲーム機、ラジオ受信機、ＭＰ３プレーヤ、ならびに他のストリーミングデバイスおよびリニアな番組編成デバイス上でのビデオ視聴を含むがこれらに限定されない、オーディエンスを伴う他のビデオおよびオーディオの用途に適用可能である。さらに、本発明は、オーディエンスメンバの環境の中にある他の電子デバイス、たとえば他の家庭電化製品のモニタリングに同様に適用可能である。
【００８０】
本明細書で説明される例示的環境は、ハードディスクデータベースを採用しているが、コンピュータによりアクセス可能なデータを格納することができる他のタイプのコンピュータ可読媒体、たとえば、磁気カセット、フラッシュメモリカード、デジタル多用途ディスク、カートリッジ、ランダムアクセスメモリ（ＲＡＭ）、読出専用メモリ（ＲＯＭ）、ケーブルまたは無線の信号を含むビットストリームなどが、例示的動作環境で同じく使用されてもよいことを当業者に認識されたい。
【００８１】
説明を明確にするために、例証となるシステムの実施形態は、個々の機能ブロック（「プロセッサ」としてラベルをつけられた機能ブロックを含む）を備えるとして提示されている。これらのブロックが表す機能は、ソフトウェアを実行することができるハードウェアを含むがこれに限定されない共有または専用ハードウェアを使用することによって提供されてもよい。たとえば、図１に提示された１つまたは複数のプロセッサの機能は、単一の共有プロセッサまたは複数のプロセッサにより提供されてもよい（用語「プロセッサ」を使用することにより、ソフトウェアを実行することができるハードウェアを排他的に指すと解釈されるべきではない）。例証となる実施形態は、マイクロプロセッサおよび／またはデジタルシグナルプロセッサ（ＤＳＰ）のハードウェア、以下で説明される動作を行うソフトウェアを格納するための読出専用メモリ（ＲＯＭ）、ならびに結果を格納するためのランダムアクセスメモリ（ＲＡＭ）を備えてもよい。超大規模集積回路（ＶＬＳＩ）のハードウェア実施形態だけでなく、汎用ＤＳＰ回路と組み合わせたカスタムＶＬＳＩ回路もまた提供されてもよい。
【００８２】
本発明の範囲に入る実施形態はまた、コンピュータ実行可能命令またはこれらの命令を格納されたデータ構造を移送または有するためのコンピュータ可読媒体を含んでもよい。このようなコンピュータ可読媒体は、汎用または専用のコンピュータによりアクセスされることができる任意の利用可能な媒体とすることができる。限定としてではなく例として、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、またはコンピュータ実行可能命令もしくはデータ構造の形で所望のプログラムコード手段を移送または格納するために使用されることができる任意の他の媒体を備えることができる。ネットワークまたは他の通信接続（有線、無線またはこれらの組合せ）を介して情報がコンピュータに転送または提供されたとき、コンピュータは、接続をコンピュータ可読媒体として適切にみなす。したがって、このような任意の接続は、コンピュータ可読媒体と適切に呼ばれる。上記の組合せもまた、コンピュータ可読媒体の範囲内に含まれるべきである。
【００８３】
コンピュータ実行可能命令は、たとえば、汎用コンピュータ、専用コンピュータまたは専用処理デバイスに、特定の機能または機能のグループを行わせる命令およびデータを含む。コンピュータ実行可能命令はまた、スタンドアロンまたはネットワーク環境でコンピュータにより実行されるプログラムモジュールを含む。一般的に、プログラムモジュールは、特定のタスクを行う、または特定の抽象的データタイプを実装するルーチン、プログラム、オブジェクト、コンポーネント、およびデータ構造などを含む。コンピュータ実行可能命令、関連データ構造、およびプログラムモジュールは、本明細書で開示される方法のステップを実行するためのプログラムコード手段の例を表す。このような実行可能命令または関連データ構造の特定のシーケンスは、説明された機能をこのようなステップの中に実装するための対応する行為の例を表す。
【００８４】
本発明の他の実施形態が、パーソナルコンピュータ、ハンドヘルドデバイス、マルチプロセッサシステム、マイクロプロセッサに基づくまたはプログラム可能な家庭用電子機器、ネットワークＰＣ、ミニコンピュータ、メインフレームコンピュータなどを含む、多くのタイプのコンピュータシステム構成を備えるネットワークコンピューティング環境で実施されてもよいことを当業者は認識されよう。ネットワークは、インターネット、１つまたは複数のローカルエリアネットワーク（「ＬＡＮ」）、１つまたは複数のメトロポリタンエリアネットワーク（「ＭＡＮ」）、１つまたは複数の広域ネットワーク（「ＷＡＮ」）、１つまたは複数のイントラネットなどを含んでもよい。実施形態はまた、通信ネットワークを通して（有線リンク、無線リンクにより、またはこれらの組合せにより）連結されたローカルおよび遠隔の処理デバイスによりタスクが行われる分散コンピューティング環境で実施されてもよい。分散コンピューティング環境では、プログラムモジュールは、ローカルおよび遠隔のメモリ記憶装置の両方に配置されてもよい。
【００８５】
本発明の他の実施形態および使用法が、本明細書で開示される本発明の明細および実施の考察から当業者には明らかであろう。すべての刊行物、米国および外国の特許および特許出願を含む、本明細書で列挙されたすべての参考文献は、参照により具体的に全部組み入れられる。本明細書および例は例示でしかないと考えられ、本発明の真の範囲および精神は以下の特許請求の範囲により示されることが意図される。さらに、用語「からなる（ｃｏｍｐｒｉｓｉｎｇ  ｏｆ）」は、用語「から構成される（ｃｏｎｓｉｓｔｉｎｇ  ｏｆ）」および「から本質的に構成される（ｃｏｎｓｉｓｔｉｎｇ  ｅｓｓｅｎｔｉａｌｌｙ  ｏｆ）」を含む。
【図１】
2014517611.tif 000003
【図２】
2014517611.tif 000004
【図３】
2014517611.tif 000005
【図４】
2014517611.tif 000006
【図５】
2014517611.tif 000007
【図６】
2014517611.tif 000008
【図７】
2014517611.tif 000009
【図８】
2014517611.tif 000010
【国際調査報告】
2014517611.tif 000011